(57)【特許請求の範囲】
【請求項１】
輪転機による連続印刷中に一時停止して版胴に新しい刷版を交換した後における輪転機の印刷立上げ時において、
輪転紙が停止している状態で、インキ呼出しローラがＯＦＦ、水供給ローラがＯＮ、インキ着ローラがＯＮ、印刷胴部の版胴とブランケット胴と圧胴の相互の胴圧がＯＦＦ、さらに圧胴クラッチがＯＦＦしている状態で、印刷胴部の版胴を印刷速度Ｖより低い設定速度Ｖ１の回転周速度で回転してこの間に、この版胴に装着した新しい刷版の表面に、インキローラ群に滞留しているインキを湿し水と共に供給してこの刷版のならし回転を行い、
その後、輪転紙の走行を開始し、この輪転紙の走行速度が上記印刷胴部の版胴の回転周速度Ｖ１となった時点で、輪転紙の走行速度と版胴の回転周速度とが共に印刷速度Ｖになるように同期制御し、この同期のためのシンクロ取得期間の終了の時点で圧胴クラッチをＯＮにし、その後各胴の胴圧をＯＮにして輪転紙を印刷胴部に接触させると共に、インキ呼出しローラをＯＮにしてインキローラ群にインキを供給して印刷速度Ｖによる印刷を行うようにしたことを特徴とする輪転機の印刷立上げ方法。
【請求項２】
輪転機による連続印刷中に一時停止して版胴に新しい刷版を交換した後における輪転機の印刷立上げ時において、
輪転紙が停止している状態で、インキ呼出しローラがＯＦＦ、水供給ローラがＯＮ、インキ着ローラがＯＮ、印刷胴部の版胴とブランケット胴と圧胴の相互の胴圧がＯＦＦ、さらに圧胴クラッチがＯＦＦしている状態で、印刷胴部の版胴を印刷速度Ｖより低い設定速度Ｖ１の回転周速度で回転してこの間に、この版胴に装着した新しい刷版の表面に、インキローラ群に滞留しているインキを湿し水と共に供給してこの刷版のならし回転を行い、
その後、輪転紙の走行を開始し、この輪転紙の走行速度が上記印刷胴部の版胴の回転周速度Ｖ１となった時点で、輪転紙の走行速度と版胴の回転周速度とが共に印刷速度Ｖになるように同期制御し、この同期のためのシンクロ取得期間の間に印刷ユニット相互及び／または加工部との位相を合わせ、シンクロ取得期間の終了の時点で圧胴クラッチをＯＮにし、その後各胴の胴圧をＯＮにして輪転紙を印刷胴部に接触させると共に、インキ呼出しローラをＯＮにしてインキローラ群にインキを供給して印刷速度Ｖによる印刷を行うようにしたことを特徴とする輪転機の印刷立上げ方法。
【発明の詳細な説明】
【０００１】
【発明の属する技術分野】
本発明は、輪転機の印刷立上げ方法に関するものである。
【０００２】
【従来の技術】
輪転印刷機による連続印刷中に、版の寿命、あるいは他の原因により版胴に装着した刷版を交換することがある。そしてその後の印刷始動時には、新しい版面上の水とインキが安定して正常な印刷物が得られるまで、いわゆる印刷立上げ運転が行われる。
【０００３】
そしてこの印刷立上げ運転を輪転紙を走行させた状態で行うと、この間に走行する輪転紙はすべて損紙となってしまう。
【０００４】
上記印刷立上げ時における損紙を少なくする方法として、特開平１１−１０５２５６号公報に示されているように、紙通し状態のまま、紙送りを停止させた状態で印刷機を運転する方法がある。
【０００５】
【発明が解決しようとする課題】
しかし、この従来の方法は、刷版に応じたインキ膜厚をインキローラ群に形成するまでの損紙の発生を防ぐようにしたもので、インキ着ローラが版胴の新しい版面に接触し、版面上に正常な画像が形成されるまでの損紙を防ぐことができない。
【０００６】
また、インキ着ローラを版胴に接触する時点では、すでに高速で輪転機が走行しているため、刷版の浮き上がりや、インキ着ローラの圧不良、湿し水調整不良などで版面にインキがうまく乗らない現象が生じている場合、これを修正する間に大量の損紙が発生してしまうという問題があった。
【０００７】
本発明は上記のことに鑑みなされたもので、印刷途中で新しい刷版を交換したときにおける印刷立上げ時の損紙の発生を少なくすることができるようにした輪転機の印刷立上げ方法を提供することを目的とするものである。
【０００８】
【課題を解決するための手段】
上記目的を達成するために、輪転機による連続印刷中に一時停止して版胴に新しい刷版を交換した後における輪転機の印刷立上げ時において、輪転紙が停止している状態で、インキ呼出しローラがＯＦＦ、水供給ローラがＯＮ、インキ着ローラがＯＮ、印刷胴部の版胴とブランケット胴と圧胴の相互の胴圧がＯＦＦ、さらに圧胴クラッチがＯＦＦしている状態で、印刷胴部の版胴を印刷速度Ｖより低い設定速度Ｖ１の回転周速度で回転してこの間に、この版胴に装着した新しい刷版の表面に、インキローラ群に滞留しているインキを湿し水と共に供給してこの刷版のならし回転を行い、その後、輪転紙の走行を開始し、この輪転紙の走行速度が上記印刷胴部の版胴の回転周速度Ｖ１となった時点で、輪転紙の走行速度と版胴の回転周速度とが共に印刷速度Ｖになるように同期制御し、この同期のためのシンクロ取得期間の終了の時点で圧胴クラッチをＯＮにし、その後各胴の胴圧をＯＮにして輪転紙を印刷胴部に接触させると共に、インキ呼出しローラをＯＮにしてインキローラ群にインキを供給して印刷速度Ｖによる印刷を行うようにした。
【０００９】
また、輪転機による連続印刷中に一時停止して版胴に新しい刷版を交換した後における輪転機の印刷立上げ時において、輪転紙が停止している状態で、インキ呼出しローラがＯＦＦ、水供給ローラがＯＮ、インキ着ローラがＯＮ、印刷胴部の版胴とブランケット胴と圧胴の相互の胴圧がＯＦＦ、さらに圧胴クラッチがＯＦＦしている状態で、印刷胴部の版胴を印刷速度Ｖより低い設定速度Ｖ１の回転周速度で回転してこの間に、この版胴に装着した新しい刷版の表面に、インキローラ群に滞留しているインキを湿し水と共に供給してこの刷版のならし回転を行い、その後、輪転紙の走行を開始し、この輪転紙の走行速度が上記印刷胴部の版胴の回転周速度Ｖ１となった時点で、輪転紙の走行速度と版胴の回転周速度とが共に印刷速度Ｖになるように同期制御し、この同期のためのシンクロ取得期間の間に印刷ユニット相互及び／または加工部との位相を合わせ、シンクロ取得期間の終了の時点で圧胴クラッチをＯＮにし、その後各胴の胴圧をＯＮにして輪転紙を印刷胴部に接触させると共に、インキ呼出しローラをＯＮにしてインキローラ群にインキを供給して印刷速度Ｖによる印刷を行うようにした。
【００１０】
【作用】
連続印刷中に一時停止して版胴に新しい刷版を交換した後の印刷始動時において、この版胴に装着した新しい刷版の表面は、輪転紙の停止中に、インキローラ群に滞留しているインキと水供給ローラの湿し水が供給されてならされて平衡状態になる。そして刷版表面がならされた状態になってから輪転紙への印刷が開始される。この輪転紙への印刷開始は、輪転紙の走行開始から印刷胴部と同期した時点で行われる。
【００１１】
そして、印刷ユニットが複数用いる場合及び／または加工部を用いる場合には、上記印刷の開始は、輪転紙の走行速度が印刷胴部の回転周速度と同期すると共に、上記印刷ユニット相互及び／または加工部との位相が合った時点で行われる。
【００１２】
【発明の実施の形態】
本発明の実施の形態を図面に基づいて説明する。図２は本発明を適用してなる輪転機を概略的に示すもので、図中１は輪転紙２を供給する給紙装置、３は複数の印刷ユニット３ａ，３ｂ…を輪転紙２の走行方向に並設した印刷部、４は印刷部３にて印刷された輪転紙２にミシン目加工、穴開け加工、折り加工等の加工を施す加工部である。
【００１３】
そして上記給紙装置１は一対の送りローラ５ａ，５ｂを、また、各印刷ユニット３ａ，３ｂ…は版胴６、ブラケット胴７、圧胴８からなる交換胴型の印刷胴部９、さらにこの図では示してないが図４にて示したインキ装置１０を、また加工部４にもこれの最上流側に送りローラ１１をそれぞれ有しており、これらはそれぞれセクショナルモータ１２ａ，１２ｂ，１２ｃ，１２ｄ，１２ｅ，１２ｆにて単独に駆動できるようになっている。
【００１４】
図３は印刷ユニット３ａ〜３ｄの動力伝達機構を示すもので、版胴６の軸６ａは軸受１３ａにてフレーム１４に同心状に支持されている。また、ブラケット胴７と圧胴８の各軸７ａ，８ａを支承する軸受１３ｂ，１３ｃのそれぞれは、フレーム１４に偏心回転可能に支持された偏心回動部材１５ａ，１５ｂに支持されている。各胴６〜８のフレーム１４に対する軸受による支持構造は軸方向両側で同じである。
【００１５】
そして版胴６とブランケット胴７の各軸６ａ，７ａに互いに噛み合う歯車１６，１７が固着してあり、また圧胴８の軸８ａにはブランケット胴７側の歯車１７に噛み合う歯車１８が回転自在に支持されている。そしてこの歯車１８は電磁式の圧胴クラッチ１９を介して圧胴８の軸８ａに係脱可能に結合されている。上記版胴６の歯車１６はセクショナルモータ１２ｂ〜１２ｅの駆動歯車２０に噛み合っており、またこの駆動歯車２０に各インキ装置１０の従動歯車２１が噛み合っている。
【００１６】
上記各偏心回動部材１５ａ，１５ｂは図示しないシリンダ装置等の駆動手段にて回動駆動することによりブランケット胴６と圧胴７の軸心位置が変えられて、版胴６に対してブランケット胴７が、及びブランケット胴７と圧胴８の相互が接離されるようになっている。なおこのとき各胴６，７，８は互いに離間しても各胴の歯車１６，１７，１８の相互の噛み合いは外れないようになっている。
【００１７】
図４はインキ装置１０の一例を示すもので、版胴６に対向する３個のインキ着ローラ２２ａ，２２ｂ，２２ｃと、これらにインキを供給するインキローラ群２３、このインキローラ群２３の第１ローラ２３ａにインキツボローラ２４からインキを呼び出すインキ呼出ローラ２５、インキツボ２６からなっている。そして上記各インキ着ローラ２２ａ〜２２ｃは図示しない回動機構により版胴６に対して接離可能になっている。
【００１８】
図中２７は湿し水装置であり、これは水舟２８内に位置するメータリングローラ２９と、水供給ローラ３０とからなり、この水供給ローラ３０は上記１つのインキ着ローラ２２ａ（あるいは版胴６）に対して接離可能になっている。
【００１９】
図２に示すように、各セクショナルモータ１２ａ〜１２ｆはセクショナル制御部３１にて同期制御されると共に、給紙装置１と加工部４のセクショナルモータ１２ａ，１２ｆと各印刷ユニット３ａ〜３ｄのセクショナルモータ１２ｂ〜１２ｅとが別々に駆動制御されるようになっており、このセクショナル制御部３１はシーケンサ３２にて制御されるようになっている。
【００２０】
一方、各印刷ユニット３ａ〜３ｄの湿し水装置２７の水供給ローラ３０がインキ着ローラ２２ａに接離するための水供給ローラ接離駆動部と、インキ装置１０のインキ着ローラ２２ａ〜２２ｃが版胴６に接離するためのインキ着ローラ接離駆動部、インキ装置１０のインキ呼出ローラ２５がインキ供給作動を行うためのインキ呼出ローラ駆動部、各印刷ユニット３ａ〜３ｄのブランケット胴７と圧胴８が互いに接離させるためのブランケット胴及び圧胴の接離駆動部（これら各駆動部は公知の構成なので図示せず）、さらに圧胴クラッチ１９は上記シーケンサ３２の指令にて図１に示すように制御される。３３はシーケンサ３２に、ＯＮ，ＯＦＦの各スイッチ３４ａ，３４ｂにて制御開始と制御終了の指示を与えるコントロールパネルである。
【００２１】
上記のように構成された輪転機における印刷立上げ方法を図１に基づいて説明する。
【００２２】
すなわち、始動前の各印刷ユニット３ａ〜３ｄはこれの各版胴６の刷版が交換された状態にある。このときの各印刷ユニット３ａ〜３ｄにあっては、各駆動部の作動により、ブランケット胴７は版胴６から離間し、また、ブランケット胴７から圧胴８が離間していると共に、圧胴クラッチ１９がＯＦＦとなっている。また、それぞれのインキ装置１０においては、インキ着ローラ２２ａ〜２２ｃは版胴６から離間し、インキ呼出ローラ２５はインキツボローラ２４から離間している。また湿し水装置２７の水供給ローラ３０はインキ着ローラ２２ａから離間している。
【００２３】
この状態で、コントロールパネル３３のＯＮスイッチ３４ａをＯＮにすると、タイマにて設定された所定時間にわたってブザーが鳴り、その後に、印刷ユニット３ａ〜３ｄの停止していた各セクショナルモータ１２ｂ〜１２ｅが起動されて各版胴６が寸動・緩動し、ついでこれの回転周速度がタイマにて設定された所定時間の経過後に運転時の印刷速度Ｖより低い速度に設定された設定速度Ｖ１になる（ａ）。
【００２４】
この状態では、給紙装置１と加工部４のセクショナルモータ１２ａ，１２ｆが停止していること、及び印刷胴部９のブランケット胴７が圧胴８から離間していること、さらに圧胴クラッチ１９がＯＦＦとなっていて圧胴８がフリー状態になっていることにより輪転紙２は停止状態のままである。
【００２５】
版胴６の回転周速度が設定速度Ｖ１になった状態で、タイマにて設定された所定時間後（または版胴６が設定された所定の回転回数だけ回転した後）（ｂ）に湿し水装置２７の水供給ローラ接離駆動部が作動して水供給ローラ３０による湿し水の供給が開始される。そしてこの（ｂ）の時点からタイマにて設定された所定時間後（または版胴６が設定された所定の回転回数だけ回転した後）（ｃ）にインキ装置１０のインキ着ローラ接離駆動部が作動して各インキ着ローラ２２ａ〜２２ｃが版胴６に接触される。
【００２６】
この状態で、版胴６の刷版に湿し水装置２７からの湿し水と、インキ装置１０のインキローラ群２３に滞留していたインキが供給され、この版胴６上の新しい刷版の表面がインキ装置１０に対してならし運転される。このならし運転は設定速度Ｖ１にて行われる。
【００２７】
このならし運転はタイマにて設定された所定時間（または版胴６が設定された所定の回転回数だけ回転した後）（ｃ−ｄ）にわたって行われ、これの設定時間終了直前でブザーが鳴らされる。
【００２８】
新しい刷版のならし運転の終了（ｄ）により、給紙装置１と加工部４のセクショナルモータ１２ａ，１２ｆが起動されて給紙装置１と加工部４のそれぞれの送りローラ５ａ，５ｂ，１１が寸動・緩動し、ついでこれらの回転周速度が上記設定速度Ｖ１の速度になる（ｅ）。
【００２９】
この状態で輪転紙２は運転時の印刷速度より遅い速度である設定速度Ｖ１で走行される。そしてこのときの輪転紙２は印刷胴部９のブランケット胴７に接触せず印刷されない。
【００３０】
輪転紙２の走行速度が設定速度Ｖ１になった時点（ｅ）で、この輪転紙２を走行駆動しているセクショナルモータ１２ａ，１２ｆと、周速度が設定速度Ｖ１となるように回転されている版胴６を駆動しているセクショナルモータ１２ｂ〜１２ｅを、輪転紙２の走行速度と版胴６の回転周速度が共に印刷速度Ｖになるように各セクショナルモータ１２ａ〜１２ｆを同期制御する。
【００３１】
これにより、各セクショナルモータ１２ａ〜１２ｆはシンクロ取得期間（ｅ−ｆ）を経てから増速されて印刷速度Ｖに制御される。
【００３２】
そしてこの間に、すなわち、シンクロ取得期間（ｅ−ｆ）の終了時点（ｆ）で圧胴クラッチ１９がＯＮとなって圧胴８が輪転紙２によるフリー回転から各セクショナルモータ１２ｂ〜１２ｅによる駆動回転に切換わる。また、このシンクロ取得期間（ｅ〜ｆ）の間に、複数のセクショナルモータ１２ａ〜１２ｆは、これのうちの１つのセクショナルモータ、例えば最上流側の印刷ユニット３ａを駆動するセクショナルモータ１２ｂに同期されることにより各印刷ユニット３ａ〜３ｄ相互及びこれらと加工部の位相が合わせられる。
【００３３】
なお、このとき、輪転機として１つの印刷ユニットのみを用い、加工部を用いない場合は位相合わせは必要ない。また複数の印刷ユニットを用い、加工部を用いない場合は各印刷ユニット相互間で位相合わせが行われ、さらに、複数の印刷ユニットと加工部を用いる場合は、この複数の印刷ユニット相互と加工部との間で位相合わせが行われる。
【００３４】
ついで、上記（ｆ）の時点から、時間差をおいた（ｇ）でブランケット胴７及び圧胴８のそれぞれの接離駆動部を作動してブランケット胴７を版胴６に接触させると共に、ブランケット胴７と圧胴８の相互を接触させる。そしてさらにこの増速作用中にインキ装置１０のインキ呼出ローラ駆動部が作動して（ｈ）インキ呼出ローラ２５によりインキローラ群２３にインキが供給される。
【００３５】
このとき、印刷胴部９の各胴及び輪転紙２の速度は同期して増速されているから、輪転紙２の走行速度が印刷速度Ｖに達していなくとも、ブランケット胴７と圧胴８が印刷位置に復帰した時点（ｇ）で輪転紙２に印刷が開始される。そしてこのときの版胴６の刷版はならし運転された状態となっていることにより、この（ｇ）の時点から輪転紙２は正常の印刷が施される。
【００３６】
従って、このときの輪転紙２はこれの走行始め（ｄ）からブランケット胴７と圧胴８の印刷位置復帰（ｇ）間の走行分が損紙となる。そしてこのときの損紙は、設定速度Ｖ１の速度を十分低くしておくことにより少なくすることができる。
【００３７】
コントロールパネル３３のＯＦＦスイッチ３４ｂをＯＮにすると、各セクショナルモータ１２ａ〜１２ｆが減速され、この間にインキ呼出ローラ２５からのインキ郡２３へのインキの供給が停止され（ｉ）、ついでインキ着ローラ２２ａ〜２２ｃが版胴６から離間され（ｊ）、これと同時に版胴６からブランケット胴７が離間されると共に、このブランケット胴７が輪転紙２から離間されて印刷が停止される。その後湿し水装置２７からの湿し水の供給が停止され（ｋ）、ついで各セクショナルモータ１２ａ〜１２ｆが停止される（ｍ）。
【００３８】
【発明の効果】
本発明によれば、輪転紙が印刷ユニットの印刷胴部に接触して印刷が開始される前に、印刷胴部の版胴の刷版表面に供給されたインキと湿し水とは十分ならされて平衡状態となっていることにより、輪転紙を走行させて、これを印刷胴部に接触させた印刷開始時から、極めて良好な印刷を行うことができる。また、印刷の立上り途中で正常な印刷がなされているので、この印刷の立上りでの色間見当が自動あるいは手動を問わず合わせ易く、印刷立上り途中では正常な印刷がなされない、上記した特開平１１−１０５２５６号公報に記載された従来の技術のものより損紙を少なくできる。
【００３９】
また、上記刷版のならし回転中は輪転紙は停止しているので、新しい刷版を装着したときにおける刷版のならし運転による損紙をなくすことができる。
【００４０】
さらに、この印刷立上げ時において、輪転紙の走行開始から、輪転紙が印刷胴部に接触する印刷開始時までの輪転紙の走行速度を遅く設定することで、輪転紙の走行開始から印刷開始時までの損紙を少なくすることができる。
【図面の簡単な説明】
【図１】本発明方法の一例を示すタイムチャートである。
【図２】本発明方法を適用した輪転機の概略的構成図である。
【図３】印刷胴部の駆動部を示す構成説明図である。
【図４】印刷ユニットを概略的に示す構成説明図である。
【符号の説明】
１…給紙装置、２…輪転紙、３…印刷部、３ａ〜３ｄ…印刷ユニット、４…加工部、５ａ，５ｂ，１１…送りローラ、６…版胴、７…ブランケット胴、８…圧胴、６ａ，７ａ，８ａ…軸、９…印刷胴部、１０…インキ装置、１２ａ〜１２ｆ…セクショナルモータ、１３ａ，１３ｂ，１３ｃ…軸受、１４…フレーム、１５ａ，１５ｂ…偏心回動部材、１６，１７，１８…歯車、１９…圧胴クラッチ、２０…駆動歯車、２１…従動歯車、２２ａ〜２２ｃ…インキ着ローラ、２３…インキローラ群、２３ａ…第１ローラ、２４…インキツボローラ、２５…インキ呼出ローラ、２６…インキツボ、２７…湿し水装置、２８…水舟、２９…メータリングローラ、３０…水供給ローラ、３１…セクショナル制御部、３２…シーケンサ、３３…コントロールパネル、３４ａ…ＯＮスイッチ、３４ｂ…ＯＦＦスイッチ。
【図１】
0004536303.tif 000002
【図２】
0004536303.tif 000003
【図３】
0004536303.tif 000004
【図４】
0004536303.tif 000005